(57)【要約】【課題】  勢いよく逆進して跳躍空間に落下したパチンコ球がパチンコ球発射機構方向へと跳ね返ることのないようなパチンコ遊技機を提供すること。【解決手段】  パチンコ球発射ユニット１７から発射されたパチンコ球を上方に導くための遊技領域の外周に配設された外レール３１を備えたパチンコ遊技機において、外レール３１とパチンコ球発射ユニット１７との間にはパチンコ球が外レール３１側に飛び移るための跳躍空間３４が形成され、同跳躍空間３４下方には同跳躍空間３４内に落下したパチンコ球を受け止めてパチンコ球を下受け皿４９に導くための底板部を配置するとともに同底板部上にパッド８８を配設した。これによって跳躍空間３４内に落下したパチンコ球が大きく跳ね返ることはないのでパチンコ球がパチンコ球発射ユニット１７方向に飛び出してしまうことがなくなる。【選択図】      図６
2011152451.tif 000002
【特許請求の範囲】
【請求項１】
遊技釘等の障害物に干渉されながらパチンコ球が落下する遊技領域を有する遊技者の対面位置に形成された遊技面と、
同遊技領域の外周位置に配設され発射されたパチンコ球を上方に導き同遊技領域内に放
出させる弧状に形成されたレール部材と、
前記遊技面の下部位置に配置され、発射されたパチンコ球の射出方向の延長線が前記レ
ール部材の延出方向と略一致するように配置されたパチンコ球発射機構とを備えたパチン
コ遊技機であって、
前記レール部材と前記パチンコ球発射機構との間には同パチンコ球発射機構から発射さ
れたパチンコ球が同レール部材側に飛び移るための跳躍空間が形成され、同跳躍空間下方
には同跳躍空間内に落下したパチンコ球を受け止めてパチンコ球をパチンコ球回収部に導
くための底板部を配置するとともに同底板部上に緩衝部材を配設したことを特徴とするパ
チンコ遊技機。
【発明の詳細な説明】
【技術分野】
【０００１】
本発明は、パチンコ球発射機構によってパチンコ球を発射し、レール部材によってその
パチンコ球を遊技面上部に導くようにしたパチンコ遊技機に関するものである。
【背景技術】
【０００２】
基本的にパチンコ遊技機における遊技では遊技者の能動的なハンドル操作によってパチ
ンコ球発射機構を駆動させてパチンコ球を発射させる。パチンコ球発射機構から発射され
たパチンコ球は与えられた推進力によって遊技面の下方の助走部（発射用レール）を斜め
上方に向かって滑走し跳躍空間を飛び越えてレール部材としての外レールに達することと
なる。外レールに達したパチンコ球は遊技領域外周に沿って弧を描きながら上方に導かれ
外レールの上端から遊技領域内に放出されることとなる。
パチンコ球が遊技領域内のどの位置にどのくらいの勢いで飛び出すか、つまりパチンコ
球の発射初速度は遊技者のハンドル操作によって異なる。ハンドルを大きく回動させれば
パチンコ球はそれだけ強く発射され勢いよく（つまり高速で）飛び出すこととなり、ハン
ドルをあまり回動させなければパチンコ球の勢いは弱く（つまり低速で）なる。遊技者は
このようなハンドル操作によってパチンコ球を遊技領域内の所望の位置や方向に放出させ
ることが可能となる。
【０００３】
ところで、遊技者のハンドル操作においてハンドルをあまり大きく回動させないことに
よってパチンコ球の発射の勢いが弱すぎ外レールの上端まで達しない場合がある。その場
合にはパチンコ球は重力によって外レールに沿って逆方向に戻ってしまうこととなるが、
この逆進するパチンコ球がそのままパチンコ球発射機構に戻ってしまうと次にパチンコ球
発射機構によって発射されるパチンコ球の発射の邪魔となるためファール球として上記跳
躍空間内に落下させて、下受け皿方向に流下させるようになっている。パチンコ遊技機で
は基本的にすべてこのような構造を採用しているがその一例として特許文献１を示す。
【特許文献１】特開平１０−２１１３２１号公報
【発明の概要】
【発明が解決しようとする課題】
【０００４】
最近のパチンコ遊技機では特に目視しやすさや遊技時の臨場感や更には豪華さ等の遊技
性の向上の観点から遊技面を大きく設計する傾向にある。そのため、レール部材で包囲さ
れた遊技領域も大きくなり、レール部材自体も従来よりも長くなってきている。その結果
、従来ならば外レールの上端まで達することできる程度の勢いのパチンコ球でも外レール
の上端に達し得ず逆方向に戻ってしまうようになってしまう。
ところが、跳躍空間までの逆進する距離が従来に比べて長くなるとパチンコ球の勢いも
それに応じて強くなってしまい、跳躍空間内に落下して底板で跳ね返ったパチンコ球が助
走部に達してしまいパチンコ球発射機構方向に戻ってしまうという不具合が生ずる可能性
があった。この場合にパチンコ球が跳ねないように跳躍空間を深くする、つまり底板位置
を下げるという方策も想定されるものの、上記のように遊技面を大きく設計すると遊技面
の下部に配置される機構の上下幅は制限されむしろ狭くなる傾向にあるため跳躍空間を深
くすることは現実には困難である。そのため、勢いよく逆進してくるパチンコ球の跳躍空
間底部からパチンコ球発射機構方向への跳ね返りを防止するための効率的な手段が求めら
れていた。
本発明は、このような従来の技術に存在する問題点に着目してなされたものである。そ
の目的とするところは、勢いよく逆進して跳躍空間に落下したパチンコ球がパチンコ球発
射機構方向へと跳ね返ることのないようなパチンコ遊技機を提供するものである。
【課題を解決するための手段】
【０００５】
上記の目的を達成するために請求項１の発明では、遊技釘等の障害物に干渉されながら
パチンコ球が落下する遊技領域を有する遊技者の対面位置に形成された遊技面と、同遊技
領域の外周位置に配設され発射されたパチンコ球を上方に導き同遊技領域内に放出させる
弧状に形成されたレール部材と、前記遊技面の下部位置に配置され、発射されたパチンコ
球の射出方向の延長線が前記レール部材の延出方向と略一致するように配置されたパチン
コ球発射機構とを備えたパチンコ遊技機であって、前記レール部材と前記パチンコ球発射
機構との間には同パチンコ球発射機構から発射されたパチンコ球が同レール部材側に飛び
移るための跳躍空間が形成され、同跳躍空間下方には同跳躍空間内に落下したパチンコ球
を受け止めてパチンコ球をパチンコ球回収部に導くための底板部を配置するとともに同底
板部上に緩衝部材を配設したことをその要旨とする。
また、上記の目的を達成するために発明２では請求項１に記載の発明の構成に
加え、前記跳躍空間に面した位置であって前記パチンコ球発射機構の発射用レールの前端
と対向する位置には前記底板部から立ち上がる内壁部が配置され、同内壁部の内側に緩衝
部材が配設されているようにしたことをその要旨とする。
また、上記の目的を達成するために発明３では発明２に記載の発明の構成に加え、前記跳躍空間下方であって前記底板部の前記パチンコ球発射機構の前記発射用レール側に隣接した位置には前記パチンコ球回収部に連通する連通孔が形成され、同底板部は同連通孔方向に下がる傾斜が形成されているようにしたことをその要旨とする。
また、上記の目的を達成するために発明４では発明３に記載の発明の構成に加え、前記パチンコ球発射機構の前記発射用レールの前端に緩衝部材を配設したことをその要旨とする。
【０００６】
上記のような構成では、パチンコ球発射機構によって発射されたパチンコ球は跳躍空間
を飛び越えてレール部材に飛び移りレール部材を周回してレール部材上端から遊技領域に
達する（放出される）。しかし、十分な勢いが与えられなかったパチンコ球はレール部材
上端に達せずにレール部材を逆方向に戻ってしまうこととなる。この時、逆進するパチン
コ球は跳躍空間下方に落下することとなるが、跳躍空間下方に配置された底板部上には緩
衝部材が配設されているため落下した際の衝突エネルギーが緩衝部材によって吸収され大
きく跳ね返ることはないのでパチンコ球がパチンコ球発射機構方向に飛び出してしまうこ
とがない。パチンコ球は底板部上を転動してパチンコ球回収部に導かれる。
特に従来に比べてレール部材を長く構成した機種においてはレール部材が長くなった分
だけレール部材上端付近まで上昇した後に逆進することとなるパチンコ球の衝突の際のエ
ネルギーは大きくなるため、このように構成することはパチンコ球発射機構方向への飛び
出し防止にとって大きな意義がある。
ここに、緩衝部材とはパチンコ球の衝突エネルギーを吸収して反発力を弱めることを主
目的とする部材であれば材質・形状は問わない。例えば、材質自体として低反発性のポリ
ウレタンからなるゲル化した超軟質エラストマーが挙げられる。このような材質の均等厚
みの板状部材を底板部上に貼着することが好ましい。また、例えば人工芝様の弾性プラス
チックの植毛がされたシート体のようにその形状によって（この場合は植毛部分）衝突エ
ネルギーを吸収するような緩衝部材であってもよい。
また、緩衝部材は必ずしも底板部全面に配設する必要はない。例えば角隅部分は球体で
あるパチンコ球が接することがないので、角隅部分までは及ばなくともよい。配設手段と
しては例えば底板表面に貼着したり係止部材に係止させたりすることが想定される。
【０００７】
跳躍空間に面した位置であってパチンコ球発射機構の発射用レールの前端と対向する位
置には底板部から立ち上がる内壁部を形成し、同内壁部の内側に緩衝部材を配設すること
が好ましい。
例えば、レール部材を逆方向に流下してきたパチンコ球がパチンコ球発射機構側に一旦
衝突し、跳ね返ったパチンコ球が跳躍空間方向に向かう場合にパチンコ球発射機構の発射
用レールの前端と対向する位置に形成された内壁部に衝突する可能性がある。その際に更
に内壁部に跳ね返されたパチンコ球が発射用レールに飛び移る可能性がある。
このように構成することによって、パチンコ球発射機構に衝突して跳ね返ったパチンコ
球の衝突エネルギーが内壁部に緩衝部材によって吸収されてしまいパチンコ球は再度大き
く跳ね返って発射用レールに達するということはなくなり、勢いがなくなったパチンコ球
は底板部上に速やかに着地することとなる。
【０００８】
また、跳躍空間下方であって底板部のパチンコ球発射機構の発射用レール側に隣接した
位置にはパチンコ球回収部に連通する連通孔が形成され、底板部は連通孔方向に下がる傾
斜が形成されていることがさらに好ましい。このような構成であれば内壁部に衝突したパ
チンコ球は底板部上に大きく跳ね返ることなく着地した後、速やかに連通孔方向に転動し
てパチンコ球回収部に回収されることとなる。これによってファール球をいつまでも跳躍
空間下方位置に留まらせず、例え次のファール球が落下しても先のファール球に当たって
跳ね返って発射用レールに至るというような不具合が生じにくくなる。
また、上記に加えて緩衝部材をパチンコ球発射機構の発射用レールの前端に配設するこ
とが好ましい。これによってレール部材を逆方向に流下してきたパチンコ球がパチンコ球
発射機構の発射用レールの前端に衝突したとしてもそれほど強く跳ね返らないためパチン
コ球の勢いを落として底板部上に着地させることが可能となる。
【発明の効果】
【０００９】
上記各請求項に記載された発明では、遊技領域に達せずにレール部材を逆方向に勢いよ
く戻ってしまうパチンコ球が跳躍空間内に落下すると落下の際の衝突エネルギーが緩衝部
材によって吸収されて大きく跳ね返ることはないのでパチンコ球がパチンコ球発射機構方
向に飛び出してしまうという不具合が生じるおそれが非常に少なくなる。
【図面の簡単な説明】
【００１０】
【図１】本発明を応用した実施の形態のパチンコ遊技機の正面図。
【図２】同じパチンコ遊技機の扉枠を取り外した状態の正面図。
【図３】同じパチンコ遊技機の扉枠の背面図。
【図４】同じパチンコ遊技機の分解斜視図。
【図５】同じパチンコ遊技機の本体枠下部側の正面図。
【図６】同じパチンコ遊技機のパチンコ球流下ユニットにおけるファール球処理部周辺の斜視図（パチンコ球流下ユニットは透視状態で図示されている）。
【図７】パチンコ球流下ユニットにおけるファール球処理部付近の平面図。
【図８】パチンコ球流下ユニットの側面図。
【図９】パチンコ球流下ユニットの背面図。
【図１０】他の実施の形態のパチンコ遊技機のパチンコ球流下ユニットにおけるファール球処理部周辺の斜視図。
【発明を実施するための形態】
【００１１】
以下、本発明の各実施の形態について図面に基づいて説明する。
図１〜図４に示すように、パチンコ遊技機１１は支持枠体としての外枠１２を備えてい
る。外枠１２は、遊技ホールへの設置の際にいわゆる島設備に取り付けられる。外枠１２
は上下左右の各枠板１２ａ〜１２ｄによって四角形に枠組みされた木製の枠体とされてい
る。下部枠板１２ｄ上面には幕板１３が配設されている。
外枠１２内には遊技機本体としての本体枠１４が装着されている。本体枠１４はパチン
コ遊技機１１の構造的な中核を形成するパネル状の構成部材であって、外枠１２内におい
て幕板１３上に配置されている。図４及び図５に示すように、本体枠１４は正面視におい
て略長方形の外郭を備えたＡＢＳ製のパネルとされている。本体枠１４の正面から見て左
方寄りにおいて上下に配設された開閉金具１５の開閉軸線Ｐ（図４参照）を軸心として回
動して外枠１２に対して前方側に開放可能とされている。
【００１２】
図２及び図５に示すように、本体枠１４の前面板１４ａの下部領域には本体枠側機構部
１６が形成されている。本体枠側機構部１６を正面から見て右方にはパチンコ球発射機構
としてのパチンコ球発射ユニット１７が配設されている。パチンコ球発射ユニット１７は
ソレノイド等から構成された発射部１８と、発射部１８にパチンコ球を順に送出する球送
りユニット１９及び補助レール２０から構成されている。本体枠側機構部１６の正面から
見て左方にはパチンコ球流下ユニット２１が配設されている。パチンコ球流下ユニット２
１については後述する。本体枠側機構部１６の裏面側にはすべての遊技球を回収して一旦
機外に放出させるための遊技球回収通路２６が形成されている（図４参照）。
本体枠１４の正面から見て右方寄りには上下方向に３箇所のスリット２２が形成されて
いる。また、本体枠１４内部の最下部のスリット２２の近傍には鍵装置が配設されており
同鍵装置から前方に鍵穴の形成された回動胴部２３が突設されている。
前面板１４ａの四方の縁部には同前面板１４ａよりも前方に張り出した当接面１４ｂが
形成されている。当接面１４ｂには後述する扉枠４１の背面板４１ａが当接することで扉
枠４１の前後方向の位置決めがされることとなる。
【００１３】
本体枠側機構部１６の上方には遊技盤取り付けスペース２５が形成され、遊技盤２７が
同スペース２５内に配設されている。同スペース２５は遊技盤２７が載置される棚部２８
（図４参照）と、略楕円形状に切り欠き形成された窓孔２９を有している。窓孔２９の周
囲は棚部２８に載置された遊技盤２７の前面周縁が当接する前板部３０とされている。図
４に示すように、木製の遊技盤２７の外郭は略正方形形状とされ、棚部２８に載置された
状態で図示しない係止手段によって前板部３０に対して圧着固定される。図２に示すよう
に、遊技盤２７は同スペース２５に配設された状態で前面に形成された遊技面２７ａが窓
孔２９から前方に露出される。
遊技盤２７の遊技面２７ａ上には、外レール３１と内レール３２が装着されている。遊
技盤２７が本体枠１４の遊技盤取り付けスペース２５に配設された状態で両レール３１，
３２及び前記本体枠１４側の窓孔２９を包囲する壁面３３の一部によって遊技面２７ａに
遊技領域が画定されている。尚、遊技領域に配設された遊技釘や入賞口等の詳しい構成に
ついては説明を省略する。
補助レール２０と外レール３１の間には跳躍空間３４が配設されている。補助レール２
０のパチンコ球の射出方向の延長線、すなわち補助レール２０の延長線上に外レール３１
が存在する。つまり、跳躍空間３４を間に介在させた状態で補助レール２０と外レール３
１はほぼ一直線状に配置されており、所定の初速度を与えられたパチンコ球は跳躍空間３
４を飛び越えて補助レール２０から外レール３１に飛び移るようになっている。
【００１４】
図４に示すように、本体枠１４（遊技盤２７）の背面には各種制御装置が重複状に配置
されている。制御装置は大きく３つにユニット化されており、タンク３５や遊技球を供給
するための遊技球供給装置３６、保護カバー３７等を備えた第１ユニット３８、主制御装
置や音声ランプ制御装置を備えた第２ユニット３９、払出制御装置、発射制御装置及び電
源装置を備えた第３ユニット４０から構成されている。
【００１５】
本体枠１４の前面には扉体としての扉枠４１が配設されている。図１に示すように、扉
枠４１は本体枠１４の正面から見た外郭と略一致した長方形形状の外郭の正面形状を有し
ている。扉枠４１は本体枠１４に対して開閉可能に取り付けられている。扉枠４１は本体
枠１４と同様前記開閉金具１５の開閉軸線Ｐと同軸に取り付けられた開閉軸部としての上
下に配設された開閉金具４４を軸心として前方側に開放可能とされている。そのため、本
体枠１４は外枠１２に対して開閉可能とされるとともに、扉枠４１は外枠１２と本体枠１
４のそれぞれに対して独立して開閉可能とされている。扉枠４１はＡＢＳ樹脂製のパネル
体であって、内部に縦横に配設された図示しない合金製の補強リブによって補強されてい
る。
【００１６】
扉枠４１には対面した遊技者が遊技面２７ａを目視するための目視用窓孔４２が形成さ
れている。図３に示すように、目視用窓孔４２位置にはガラス板フレーム４４に支持され
たガラス板４３が扉枠４１背面側に配設されている。
扉枠４１の前面側であって、目視用窓孔４２の左右及び上方には前方に膨出した装飾用
パネル４５が配設されている。装飾用パネル４５内には図示しないスピーカ装置や図示し
ない装飾ランプが配設されている。目視用窓孔４２の下方位置には、前側へ膨出した第１
の膨出部４６が設けられ、その第１の膨出部４６内側が上受け皿４７とされている。上受
け皿４７は図示しない払出装置より払い出された遊技球を一旦貯留し、一列に整列させな
がらパチンコ球発射ユニット１７方向に導くための球貯留部とされる。
【００１７】
第１の膨出部４６の下方位置には、前側へ膨出した第２の膨出部４８が設けられ、その
第２の膨出部４８内側が下受け皿４９とされている。パチンコ球回収部としての下受け皿
４９はパチンコ球流下ユニット２１を経由してして流下するパチンコ球を貯留したり、遊
技者の能動的な操作に基づいて上受け皿４７から流下させたパチンコ球を貯留するための
補助的な球貯留部である。正面から見て下受け皿４９の左方には灰皿５０が配設されてい
る。下受け皿４９の右方にはパチンコ球発射ユニット１７と連動する遊技球打ち出し用ハ
ンドル５１が前方に突出形成されている。
【００１８】
図３に示すように、扉枠４１の背面板４１ａは複数のリブと段違いに配設された板面と
が組み合わされて一体的に成形された構成部材である。
背面板４１ａの表面（背面側）に配設された主要な構成要素としては前記ガラス板フレ
ーム４４（ガラス板４３）に加えて前記パチンコ球流下ユニット２１に接続され上受け皿
４７にパチンコ球を導くためのブリッジ部材５３、上受け皿４７の下流に配置されたパチ
ンコ球導入口５４、下受け皿４９に連通する連通孔５５、ハンドル５１用の基板５６、前
記スリット２２に挿入されるラッチ５７、前記回動胴部２３前面の鍵穴を扉枠４１前面に
露出させる透孔５８、扉枠４１と本体枠１４との隙間を埋めるケース状ブロック５９、ガ
ラス板フレーム４４を固定するクリップ６０等が挙げられる。
【００１９】
図２及び図５に示すように、このような構成の本体枠１４の前面板１４ａには第１の支
持突起６１が突設されている。また、図３に示すように、扉枠４１の背面板４１ａには第
２の支持突起６３が突設されている。第２の支持突起６３は扉枠４１を閉鎖した場合に第
１の支持突起６１の上に載置される。
【００２０】
次に、パチンコ球流下ユニット２１の構成について詳しく説明する。以下において図２
における左右方向をそれぞれ左及び右として説明する。
パチンコ球流下ユニット２１は図９に示すように背面が開放されている一体成形された
カバー様の板体であって、同ユニット２１は本体枠側機構部１６の前面（前面板１４ａ）
にボルト（図示では省略されている）によって固着されている。同ユニット２１は前面板
１４ａに固着されることで内部空間が封塞状態とされることとなる。同ユニット２１の左
方上部位置にはパチンコ球流入口６５が形成され、右下部位置にはパチンコ球流出口６６
が形成されている。
パチンコ球流入口６５は本体枠１４側から供給されるパチンコ球の上受け皿４７方向へ
の入り口とされる。パチンコ球流出口６６は上受け皿４７がパチンコ球がいっぱいになっ
てそれ以上流下させられない場合（いわゆるフロー状態）や発射されたものの遊技領域に
達せず跳躍空間３４に落下した場合（いわゆるファール球となった場合）にパチンコ球を
下受け皿４９方向に導くための出口とされる。
パチンコ球流入口６５には回動軸６７を基部として内側に倒伏可能な蓋６８が配設され
ている。蓋６８はコイルばね６９によって常時起立側に付勢されており、扉枠４１の閉鎖
に伴って前記ブリッジ部材５３によって押動されて倒伏するようになっている。蓋６８は
扉枠４１を開放した際に起立してパチンコ球の流下を遮断する役割を果たす。パチンコ球
流出口６６の前方には挿入フランジ７０が形成され扉枠４１の閉鎖状態において連通孔５
５に挿入されるようになっている。
【００２１】
パチンコ球流入口６５から右斜め下方のパチンコ球流出口６６に向かって屈曲形成され
たバイパス通路７１が形成されている。バイパス通路７１は常時はパチンコ球流入口６５
から上受け皿４７に流下するパチンコ球を上受け皿４７がパチンコ球でいっぱいになって
フローした場合に下受け皿４９方向に迂回させるための通路である。バイパス通路７１の
上流側下部位置にはバイパス通路７１前面に対して一段階後退した位置にて下垂される下
部張り出しプレート７２が形成されている。下部張り出しプレート７２面にはバイパス通
路７１内の所定位置でのパチンコ球の有無を検出する（つまりバイパス通路７１内のパチ
ンコ球の量をチェックする）マイクロスイッチ７３の制御基板７４が配設されている。
バイパス通路７１の下流側下部位置にはバイパス通路７１前面と面一となるように前方
側に張り出した下部ボックス部７５が形成されている。下部ボックス部７５はその背面側
には前記マイクロスイッチ７３が収容されるとともに本体枠１４側と扉枠４１側との間に
配設されることで両パネル（本体枠１４と扉枠４１）間の隙間を埋める役割を果たす。こ
れによって扉枠４１をこの位置で後方に向かって押圧しても本体枠１４と扉枠４１の間に
隙間ができにくくなる。
【００２２】
バイパス通路７１の下流側上部位置にはファール球処理部７７が形成されている。図７
〜図９に示すように、ファール球処理部７７は前面板１４ａに当接される棚部７８の右方
に形成された積層構造からなるパチンコ球誘導部とされている。ファール球処理部７７は
跳躍空間３４の下方位置に配置されている。
図６〜図９に示すように、ファール球処理部７７は棚部７８よりも一段低い位置に形成
されたパチンコ球落下部８０とパチンコ球落下部８０の下面に積層状に配置されたパチン
コ球流下通路８１を備えている。パチンコ球落下部８０及びパチンコ球流下通路８１の前
面には棚部７８の上面と同高さに構成された前面壁８３が立設されている。
【００２３】
パチンコ球落下部８０は右下がりに構成された平板状の底板部８５と、棚部７８から同
底板部８５へと垂直に下垂される内壁部８６と、同底板部８５の右方に隣接して形成され
るパチンコ球流下通路８１に連通する落下孔８７を備えている。底板部８５の上面には低
反発性のポリウレタンからなる均等厚みの第１のパッド８８が貼着されている。内壁部８
６の内側には第１のパッド８３と同材質の第２のパッド８９が貼着されている。
パチンコ球流下通路８１におけるパチンコ球の転動面９０は左下がりに構成されている
。パチンコ球流下通路８１の最下部位置はバイパス通路７１に接続されている。パチンコ
球流下通路８１の途中には前方には膨出した回遊部９１が形成されている。
パチンコ球流下通路８１の途中には回遊部９１に面して柱部材９２が立設されている。図
７に示すように落下孔８７からパチンコ球流下通路８１内に導かれたパチンコ球は転動面
９０を転動して柱部材９２を巻きながら回遊部９１方向に迂回させられバイパス通路７１
に至るようになっている。このように回遊部９１を設けることで下受け皿４９からワイヤ
ー等を侵入させてパチンコ球流出口６６を経由して遊技領域にアクセスするような不正行
為を防止することが可能となる。
【００２４】
次に、このように構成されたパチンコ遊技機１１におけるファール球処理部７７の作用
について説明する。
パチンコ球発射ユニット１７の発射部１８によって発射されたパチンコ球は十分な初速
度を与えられると補助レール２０から跳躍空間３４を飛び越して外レール３１に達し同外
レール３１を周回して上端から遊技領域に放出させられる。
ところが、十分な初速度を与えられないと跳躍空間３４を飛び越すものの、外レール３
１の上端に達することなく例えば図５に示すようにパチンコ球が戻ってきてしまう。この
パチンコ球はパチンコ球落下部８０内に落下して底板部８５上の第１のパッド８８に衝突
する。パチンコ球の落下の衝撃は第１のパッド８８によって吸収されるためほとんど跳ね
返らず、パチンコ球は第１のパッド８８上に速やかに着地して傾斜に従って落下孔８７か
らパチンコ球流下通路８１に落下し回遊部９１を経てバイパス通路７１に誘導され、最終
的に下受け皿４９に至る。
また、比較的大きな初速度を与えられ外レール３１の上端に近い位置まで到達したもの
の、結局遊技領域に達し得なかったパチンコ球は本実施の形態のように遊技領域が広く構
成されていることから外レール３１の上端までの距離が長いパチンコ遊技機１１では非常
に落下速度が速くなるため、跳躍空間３４内に直ちに落下せずに、まず補助レール２０の
前端面２０ａに衝突してしまう場合がある。補助レール２０の前端面２０ａは垂直に配置
された面であるためこの位置に衝突したパチンコ球は跳ね返って直接内壁部８６の第２の
パッド８９に、あるいは底板部８５の上の第１のパッド８８でバウンドして内壁部８６の
第２のパッド８９に衝突することとなる。その際にパチンコ球の衝撃は第２のパッド８９
によって吸収されるためほとんど跳ね返らず、上記と同様パチンコ球は第１のパッド８８
上に着地し傾斜に従って落下孔８７からパチンコ球流下通路８１に落下する。
【００２５】
上記のように構成することによって本実施の形態では次のような効果を奏する。
（１）ファール球となったパチンコ球が外レール３１を逆進してきた場合に勢いよく跳躍
空間３４内に落下してきても、その落下の衝撃は第１のパッド８８によって吸収されるた
めほとんど跳ね返らず、パチンコ球発射ユニット１７方向に跳ね返ってしまうことがない
ので次のパチンコ球の発射の妨げになりことはない。また、このように落下の衝撃が吸収
されて速やかに着地することとなるため、結果としてファール球をパチンコ球落下部８０
内でいつまでも落下の勢いで転がることもなく速やかに落下孔８７から排出させることが
できることとなり、次のファール球が先のファール球と衝突して一方のファール球がパチ
ンコ球発射ユニット１７方向に飛び出してしまうという可能性も非常に少なくなる。
（２）それほどの勢いがなくパチンコ球が外レール３１を逆進してきた場合には第１のパ
ッド８８に直接衝突する衝撃を吸収して勢いを削ぎ、勢いが強い場合には補助レール２０
の前端面２０ａに衝突する場合があるのでその跳ね返る勢いを２つのパッド８８，８９で
削ぐことができるのでパチンコ球落下部８０内にどのような方向から飛び込んできても確
実に衝撃のエネルギーを効率的に吸収することが可能となっている。
（３）パチンコ球流下ユニット２１は図９に示すように後方側は開放され前面板１４ａに
当接させることでパチンコ球落下部８０を四方から包囲された空間としている。そのため
、ユニット２１を取り外した状態ではパチンコ球落下部８０は三方からのみ包囲されてい
るだけとなりパッド８８，８９の装着作業が非常に容易となる。
【００２６】
本発明は以下のような態様に変更して実施することが可能である。
・図１０に示すように、補助レール２０の前端面２０ａに上記と同材質のパッド９５を
配設するようにしてもよい。これによって勢いよく逆進してきたパチンコ球が補助レール
２０の前端面２０ａに衝突するとこの段階から衝撃を吸収することができるため、より確
実にパチンコ球の跳ね返りを防止することができる。
・上記のようなパッド８８，８９以外の材質を用いることも可能である。また、形状も
上記に限定されるものではない。
・上記実施の形態の底板部８５は平板状に構成されていたが、特に底板部の形状は限定
されることはない。例えば凹レンズ状に窪んでいたり、凹凸形状が形成されていても構わ
ない。
・上記実施の形態においてはいわゆる第１種始動口付きパチンコ遊技機に応用したが、
パチンコ遊技機の種類は特に問わない。
その他、本発明の趣旨を逸脱しない態様で実施することは自由である。
【符号の説明】
【００２７】
１１…パチンコ遊技機、１７…パチンコ球発射機構としてのパチンコ球発射ユニット、
２７ａ…遊技面、３１…レール部材としての外レール、３４…跳躍空間、４９…パチンコ
球回収部としての下受け皿、８５…底板部、８８…緩衝部材としての第１のパッド。
【図１】
2011152451.tif 000003
【図２】
2011152451.tif 000004
【図３】
2011152451.tif 000005
【図４】
2011152451.tif 000006
【図５】
2011152451.tif 000007
【図６】
2011152451.tif 000008
【図７】
2011152451.tif 000009
【図８】
2011152451.tif 000010
【図９】
2011152451.tif 000011
【図１０】
2011152451.tif 000012